(57)【要約】  安価で、耐久性、信頼性に優れ、ダイアルの回転角度検出精度の高い操作用ダイアルを提供する。  回転して操作される操作用ダイアルであって、電気回路を有するプリント回路基板１０と、プリント回路基板１０上に設けられた駆動電極１３と、プリント回路基板１０上の、駆動電極１３の周囲に設けられた複数の検出電極１２と、駆動電極１３と隙間を隔てて対向して配置されたリング電極１０１であって、上記複数の検出電極１２のいずれかと隙間を隔てて対向するように外方に突出した少なくとも一つの突出部１０２を有するリング電極１０１と、リング電極１０１と一体となって回転可能な電気絶縁性材料のダイアルと、を具備する。【特許請求の範囲】
【請求項１】
回転して操作される操作用ダイアルであって、
電気回路を有するプリント回路基板（１０）と、
上記プリント回路基板（１０）上に設けられた駆動電極（１３）と、
上記プリント回路基板（１０）上の、上記駆動電極（１３）の周囲に設けられた複数の検出電極（１２）と、
上記駆動電極（１３）と隙間を隔てて対向して配置されたリング電極（１０１，１０１ａ）であって、上記複数の検出電極（１２）のいずれかと隙間を隔てて対向するように外方に突出した少なくとも一つの突出部（１０２，１０２ａ）を有するリング電極（１０１，１０１ａ）と、
上記リング電極（１０１，１０１ａ）と一体となって回転可能な電気絶縁性材料のダイアルと、
を具備したことを特徴とする操作用ダイアル。
【請求項２】
上記駆動電極（１３）に高周波信号を印加する駆動回路（２００）と、
上記複数の検出電極（１２）の各々に順次に接続され、接続した検出電極（１２）からの信号を出力する切り替え回路（３００）と、
上記切り替え回路（３００）からの出力信号を処理して、上記駆動電極（１３）に印加された高周波信号により上記リング電極（１０１，１０１ａ）の突出部（１０２，１０２ａ）と対向した検出電極（１２）に誘導された信号を検出し、それによって、ダイアル操作位置に応じた検出信号を出力する信号検出手段（４００）と、
を具備することを特徴とする請求項１記載の操作用ダイアル。
【請求項３】
上記駆動電極（１３）は、上記ダイアルと同軸に形成された円環状パターンを有し、
上記リング電極（１０１，１０１ａ）は、上記駆動電極（１３）の円環状パターンと重なり合うように配置されている
ことを特徴とする請求項１又は２記載の操作用ダイアル。
【請求項４】
上記駆動回路（２００）は、矩形波信号発振回路と、
上記矩形波信号発振回路から発振した矩形波信号から、上記駆動電極（１３）に印加される高周波信号の周波数成分を取り出すＬ−Ｃ共振回路と、
を有することを特徴とする請求項１乃至３のいずれか一項に記載の操作用ダイアル。
【請求項５】
上記ダイアルは、スリーブ（１００ａ）を有し、
上記スリーブ（１００ａ）は、下面が上記駆動電極と対向したフランジ（１０００）を有し、
上記フランジ（１０００）は、外方に突出した少なくとも一つの突出部（１００１）を有し、
上記リング電極（１０１ａ）は、上記フランジ（１０００）の下面に印刷され、
上記リング電極（１０１ａ）の突出部（１０２ａ）は、上記フランジ（１０００）の突出部（１００１）の下面（１００２）に印刷されている
ことを特徴とする請求項１乃至４のいずれか一項に記載の操作用ダイアル。
【発明の詳細な説明】
【技術分野】
【０００１】
本発明は、操作用ダイアルに関し、より詳細には、車両に搭載して空調操作パネル等に用いて好適な、操作用ダイアルの絶対回転位置を電気的に検出する回転式の操作用ダイアルに関する。
【背景技術】
【０００２】
従来の回転式の操作用ダイアルとして、操作用ダイアルの外周部位に切り替え接点を配したもの、又は、操作用ダイアルの外周部位に駆動歯車と回転式スイッチとを配したものが知られている（特許文献１）。【０００３】
【特許文献１】特開２００１−１８４９６９号公報
【発明の開示】
【発明が解決しようとする課題】
【０００４】
上記従来技術において、切り替え接点部を有する方式では、車室内の埃等の侵入や、電気接点の摺動磨耗によって接触不良を起こす場合があるため、長期間使用による耐久性、信頼性上の懸念があった。逆に、かかる耐久性、信頼性の向上を目的として複雑な防塵構造を要する点、加えて、該電気接点に金メッキを施す等によってコストアップが発生していた。【０００５】
また、駆動歯車を有する方式においては、駆動歯車を保護する目的で、表ケース、中ケース及び裏ケースの３部品を必要とするから構造上のコストアップを免れない。【０００６】
さらに、回転式スイッチとして、例えば、村田製作所製ロータリーポジションセンサＳＶ０１シリーズを採用した例において、このロータリーポジションセンサの回転検出誤差が３％となっているのに加えて、駆動歯車の回転角度伝達誤差が存在するので、操作用ダイアルの回転位置に対して、概ね全回転角度比５％の検出誤差が生じることが知られている。【０００７】
しかるに、この回転式スイッチの操作用ダイアルの全回転角度を仮に２４０度とすると、２４０×０．０５＝１２度の誤差を生じることになる。これに対して、例えば、空調用の温度設定ダイアルの設定分解能を３２ステップ／２４０度としたときの必要角度分解能は７．５度である。したがって、この回転式スイッチを、この空調用の温度設定ダイアルに適用すると、回転角度検出精度の要求値よりも誤差の方が大きくなってしまうという問題が生じる。【０００８】
そこで、本発明は、安価で、耐久性、信頼性に優れ、ダイアルの回転角度検出精度の高い操作用ダイアルを提供することを目的としている。
【課題を解決するための手段】
【０００９】
上記の目的を達成するため、本発明の操作用ダイアルは、回転して操作される操作用ダイアルであって、電気回路を有するプリント回路基板（１０）と、上記プリント回路基板（１０）上に設けられた駆動電極（１３）と、上記プリント回路基板（１０）上の、上記駆動電極（１３）の周囲に設けられた複数の検出電極（１２）と、上記駆動電極（１３）と隙間を隔てて対向して配置されたリング電極（１０１，１０１ａ）であって、上記複数の検出電極（１２）のいずれかと隙間を隔てて対向するように外方に突出した少なくとも一つの突出部（１０２，１０２ａ）を有するリング電極（１０１，１０１ａ）と、上記リング電極（１０１，１０１ａ）と一体となって回転可能な電気絶縁性材料のダイアルと、を具備したことを特徴としている。【００１０】
このように、本発明の操作用ダイアルは、駆動電極、検出電極及びリング電極の各電極どうしが互いに非接触である。このため、本発明の操作用ダイアルは、電極の摩耗や接触不良の発生するおそれがないので、耐久性及び信頼性に優れる。さらに、本発明の操作用ダイアルは、複雑な防塵構造や歯車機構を設ける必要がないため、簡単な構成とすることができる。このため、本発明の操作用ダイアルは、安価に製造することができる。【００１１】
さらに、本発明の操作用ダイアルは、歯車機構を必要としないため、歯車による誤差がない。その代わり、ダイアルの外周のプリント回路基板上に配設された、ダイアルの設定分解能／又はステップ数に応じた個数の検出電極によって、ダイアルの回転角度がデジタル的に検出される。したがって、高い回転角度検出精度が実現される。【００１２】
また、本発明において好ましくは、上記駆動電極（１３）に高周波信号を印加する駆動回路（２００）と、上記複数の検出電極（１２）の各々に順次に接続され、接続した検出電極（１２）からの信号を出力する切り替え回路（３００）と、上記切り替え回路（３００）からの出力信号を処理して、上記駆動電極（１３）に印加された高周波信号により上記リング電極（１０１，１０１ａ）の突出部（１０２，１０２ａ）と対向した検出電極（１２）に誘導された信号を検出し、それによって、ダイアル操作位置に応じた検出信号を出力する信号検出手段（４００）と、を具備する。【００１３】
駆動電極に高周波信号が印加されると、駆動電極に対向したリング電極に高周波信号が誘導される。さらに、複数の検出電極のうち、リング電極の突出部と対向する検出電極にも高周波信号が選択的に誘導される。その結果、複数の検出電極からの信号のうち、突出部と対向した検出電極からの信号レベルが最大となる。そして、リング電極の突起部はダイアルと一体に回転するので、ダイアルの回転操作位置に応じて、最大の信号レベルの検出される検出電極が決まる。したがって、最大の信号レベルが検出される検出電極を特定することによって、操作用ダイアルの操作位置が検出される。【００１４】
また、本発明において好ましくは、上記駆動電極（１３）は、上記ダイアルと同軸に形成された円環状パターンを有し、上記リング電極（１０１，１０１ａ）は、上記駆動電極（１３）の円環状パターンと重なり合うように配置されている。
このように、駆動電極を円環状パターンとすれば、ダイアルの回転角度に関係なく、駆動電極を介してリング電極に高周波が誘起される。【００１５】
また、本発明において好ましくは、上記駆動回路（２００）は、矩形波信号発振回路と、上記矩形波信号発振回路から発振した矩形波信号から、上記駆動電極（１３）に印加される高周波信号の周波数成分を取り出すＬ−Ｃ共振回路と、を有する。
これにより、駆動電極に所望の周波数の高周波信号を印加することができる。【００１６】
ところで、ダイアルの部品とリング電極の部品とが別々に形成される場合、それらの部品どうしは手作業で勘合され、操作用ダイアルが組み立てられる。その場合、操作用ダイアルの組み立てのために、組み立て用の治具が必要となる。また、半勘合状態の誤組み付けが発生するおそれがあるため、勘合状態を検査も必要となる。誤組み付けの発生、及び勘合状態の検査の必要性は、コストの上昇を招く。【００１７】
そこで、本発明において、好ましくは、上記ダイアルは、スリーブ（１００ａ）を有し、上記スリーブ（１００ａ）は、下面が上記駆動電極と対向したフランジ（１０００）を有し、上記フランジ（１０００）は、外方に突出した少なくとも一つの突出部（１００１）を有し、上記リング電極（１０１ａ）は、上記フランジ（１０００）の下面に印刷され、上記リング電極（１０１ａ）の突出部（１０２ａ）は、上記フランジ（１０００）の突出部（１００１）の下面（１００２）に印刷されている。
これにより、ダイアルの部品とリング電極の部品とを別々に形成した場合には２点の部品点数を必要としたが、リング電極を印刷形成することにより、実質的に１点で同じ機能を実現することができる。その結果、部品点数を少なくしてコストの低減を図ることができる。さらに、ダイアルの部品とリング電極の部品とを勘合して組み立てる必要がない。このため、誤組付けの発生するおそれがなく、また、誤組み付けの有無を検査する必要もない。また、リング電極の部品を別個に製造する必要もない。このため、リング電極の部品の金型製造コストも不要となる。
【発明の効果】
【００１８】
このように、本発明によれば、安価で、耐久性、信頼性に優れ、ダイアルの回転角度の検出精度の高い操作用ダイアルを提供することができる。
【発明を実施するための最良の形態】
【００１９】
以下、添付の図面を参照して、本発明の操作用ダイアルの実施形態を説明する。
まず、図１を参照して、実施形態の操作用ダイアルの基本構造について説明する。図１は、本発明の操作用ダイアルの基本構造を示す。【００２０】
図１に示すように、本実施形態の操作用ダイアルは、回転して操作される操作用ダイアルであって、電気回路を有するプリント回路基板１０と、上記プリント回路基板１０上に設けられた駆動電極１３と、上記プリント回路基板１０上の、上記駆動電極１３の周囲に設けられた複数の検出電極１２と、上記駆動電極１３と隙間を隔てて対向して配置されたリング電極１０１であって、上記複数の検出電極１２のいずれかと隙間を隔てて対向するように外方に突出した少なくとも一つの突出部１０２を有するリング電極１０１と、上記リング電極１０１と一体となって回転可能な電気絶縁性材料のダイアルと、を具備する。
駆動電極１３は、ダイアルと同軸に形成された円環状パターンを有し、リング電極（１０１，１０１ａ）は、駆動電極（１３）の円環状パターンと重なり合うように配置されている。また、ダイアルは樹脂製のスリーブ１００を有する。【００２１】
スリーブ１００は、操作用ダイアルと一体に構成された円筒形状を有する。スリーブ１００は、図２に示すダイアル胴部１０４と勘合されて、プリント回路基板１０の表面に回動可能にして取り付けられている。また、スリーブ１００の内面には、セレーション１０３が設けられている。セレーション１０３と圧接したバネ（図示せず）によって、スリーブ１００の回転位置に対応したクリック力が生じる。【００２２】
検出電極１２は、プリント回路基板１０の表面に、スリーブ１００と同軸の円周上に、互いに等角度ずつ離れて配置されたプリント配線パターンによって構成される。駆動電極１３は、プリント回路基板１０上の検出電極１２の内周部に、ダイアルと同軸に形成された円環状パターンによって構成される。【００２３】
リング電極１０１は、図２に示すように、スリーブ１００のフランジの下面に勘合されて、かつ、駆動電極１３の円環状パターンと重なり合うように設けられている。リング電極は１０１は、リング電極１０１から外側に突出した突出部１０２を有する。突出部１０は、検出電極１２の各々と対向可能に配置されている。突出部１０２はまた、個々の検出電極１２の面積及び形状とほぼ同一の面積及び形状を有する。【００２４】
また、この操作用ダイアルは、上記駆動電極１３に高周波信号を印加する駆動回路２００と、上記複数の検出電極１２の各々に順次に接続され、接続した検出電極１２からの信号を出力する切り替え回路３００と、上記切り替え回路３００からの出力信号を処理して、上記駆動電極１３に印加された高周波信号により上記リング電極１０１の突出部１０２と対向した検出電極１２に誘導された信号を検出し、それによって、ダイアル操作位置に応じた検出信号を出力する信号検出手段４００とを有する。【００２５】
駆動電極１３は、プリント回路基板１０上に形成しされた所定周波数の高周波信号を供給する駆動回路手段２００と接続される。また、各検出電極１２は、プリント回路基板１０上に形成した切り替え回路手段３００を介して、複数の検出電極１２のうちから選択した一つの検出電極と電気的に接続され、かつ、信号検出手段４００とも接続される。【００２６】
なお、プリント回路基板１０の表面とリング電極１０１の裏面との隙間Ｄ１は、望ましくは０．２ｍｍ程度である。リング電極１０１の突出部１０２は、スリーブ１００の回転に伴って、検出電極１２のいずれか一つと対向するように構成されている。【００２７】
このように構成された検出電極１２と突出部１０２との間には、静電容量Ｃａが形成される。また、リング電極１０１と駆動電極１３との間には、静電容量Ｃｂが形成される。【００２８】
次に、図２に、本実施形態の操作用ダイアルの断面構造を示す。
なお、図２では、プリント回路基板１０上の検出電極１２及び駆動電極１３のパターンの図示を省略している。図２に示すように、プリント回路基板１０の上面には、透明樹脂材料より成る導光体１０７が固定されている。導光体１０７の内側円筒形状部には、上方から押動可能な円筒状の樹脂製ボタン１０６が挿入されている。【００２９】
導光体１０７の外周部には、回動可能なダイアル胴部１０４が勘合されている。スリーブ１００とダイアル胴部１０４は、スリーブ１００がダイアル胴部１０４の下部に結合された状態で、金属板製のリング電極１０１の折り曲げ部によって狭持されている。【００３０】
ポインタ１０５が、ダイアルの操作位置を視覚的に示す。スイッチ部材１０８が、ボタン１０６押圧時に連動して電気的接点が閉じるように、プリント回路基板１０の表面上に構成されている。また、ＬＥＤ１０９が、導光体１０７を透過してボタン１０６の表面の夜間照明を行うために、プリント回路基板１０の表面に半田付けで実装されている。【００３１】
次に、図３に、本発明の操作用ダイアルを備えた空調制御モジュールの構造を例示する。
なお、図３においても、プリント回路基板１０上の検出電極１２及び駆動電極１３のパターンの図示を省略している。図３に示すように、この空調制御モジュールでは、ダイアル胴部１０４、ボタン１０６、導光体１０７、スリーブ１００及びリング電極１０１が、プリント回路基板１０の表面に、同軸状に装着されている。この空調制御モジュールは、プリント回路基板１０をケース１１０の底面側から挿入してケースに固定した後に、ケース１１０の背面からカバー１１１が装着されるように構成されている。【００３２】
以下、本発明の操作用ダイアルの作用に関して、図面を参照して説明する。
駆動回路２００は、矩形波信号発振回路と、矩形波信号発振回路から発振した矩形波信号から、駆動電極（１３）に印加される高周波信号の周波数成分を取り出すＬ−Ｃ共振回路と、を有する。
駆動回路手段２００は、矩形波信号発振回路と、矩形波信号発振回路から発振した矩形波信号から、駆動電極１３に印加される高周波信号の周波数成分を取り出すＬ−Ｃ共振回路とから構成してある。【００３３】
図４に示す矩形波信号発振回路は、公知のＲ−Ｃ発振回路によって形成することができる。矩形波信号発振回路は、例えば、３００ＫＨｚの矩形波信号を発生するように設定されている。また、Ｌ−Ｃ共振回路は、コイル１５及びコンデンサ１６から構成される。Ｌ−Ｃ共振回路はまた、矩形波信号発振回路からの出力に対して、電圧振幅の増大と所望の周波数のみを抽出するフィルタリングを行い、それによって、図５にＳ１で示す正弦波信号の高周波信号を、プリント回路基板１０に設けた駆動電極１３へ供給する。【００３４】
かかる共振回路によって、駆動電極１３に対する印加電圧が上昇し、かつ、駆動回路手段２００の出力信号に含まれる高調波成分が抑制される。これにより、駆動電極１３から外部へ放射される妨害電波の発生が抑制される。【００３５】
図１に示すように、上述のように、駆動電極１３と、リング電極１０１の円環部とは、互いに対向して、静電容量Ｃｂを形成する。さらに、リング電極１０１の突出部１０２と、突出部１０２と対向している検出電極１２とは、静電容量Ｃａを形成する。【００３６】
したがって、駆動回路手段２００から出力した高周波信号Ｓ１は、静電容量Ｃａ及びＣｂを介して、複数の検出電極１２のうち、リング電極１０１の突出部１０２と対向した検出電極（対向検出電極）１２に誘導される。高周波信号Ｓ１の対向検出電極１２への誘導信号は、図４に示すように、公知のアナログスイッチから成る切り替え回路手段３００によって順次に選択されて、増幅及び検波を行うように構成された信号検出手段４００へ入力される。
なお、切り替え回路手段３００の切り替え信号入力端子１８及び信号検出手段４００の出力端子１９は、マイクロプロセッサ（図示せず）に接続されて所望の制御を行うように構成されている。【００３７】
ここで、対向検出電極１２は、ダイアル胴部１０４の回転位置により選択的に決定される。一例として、突出部１０２が、検出電極１２ｃ（図４参照）と対向している場合、切り替え回路手段の切り替え信号Ｓ２が図５中に「３」で示す期間中、検出回路手段の出力信号Ｓ３が最大値を示す。【００３８】
上記のようにして、信号検出手段４００の出力が最大レベルとなるときに切り替え回路手段３００が接続されている検出電極を特定することによって、ダイアル胴部１０４の操作位置が検出される。【００３９】
以上の説明したように、本発明の操作用ダイアルは、プリント回路基板上のパターンと所定の隙間を隔てて回転するリング電極との間で形成される静電容量を利用した高周波信号の誘導レベルからダイアルの操作位置を検出するように構成されている。このため、本発明の操作用ダイアルは、接触による電極の磨耗がないため、耐久性に優れる。また、本発明の操作用ダイアルは、従来技術における駆動歯車とロータリーポジションセンサとの組み合わせによる検出角度誤差がない。本発明の操作用ダイアルでは、設定分解能に応じた個数の検出電極を配置することによってデジタル的に回転角度を検出可能であるため、操作用ダイアルの回転操作位置を高精度で検出することができる。【００４０】
また、本発明の操作用ダイアルは、駆動歯車を具備した従来技術と異なり、表ケース、中ケース、裏ケースの３層構造とする必要が無く、例えば、カバーとケースとの２点で構成可能であるから低コスト化が可能である。【００４１】
加えて、本発明の操作用ダイアルは、外部から誘導される高周波ノイズに対しても優れた耐性を有する。一般的に車両上で搭載機器に印加される高周波ノイズの周波数は数十ｋＨｚから数百ＭＨｚである。これら高周波ノイズの波長を鑑みた場合、操作用ダイアルにおいて最も外来ノイズの誘導を受ける部位は、最大線路長であるリング電極である。【００４２】
しかしながら、本発明の操作用ダイアルは複数の検出電極からの信号レベルのうちの最大値を検出しており、かつ、リング電極の突出部によって選択的に検出電極へ信号が印加される。このため、仮にリング電極に対して過大な高周波のノイズが印加されても、選択された検出電極からの信号は、正規の高周波信号とノイズとの和となり、その結果、選択された検出電極からの信号の信号レベルがより大きくなる。したがって、ノイズが印加されると、各検出電極からの信号のうちの最大の信号レベルと、残りの検出電極からの信号の信号レベルとの差がより大きくなる。【００４３】
上述のように、リング電極１０１とプリント回路基板１０の隙間Ｄ１は、０．２ｍｍ程度に近接している必要がある。しかし、この隙間Ｄ１の間に、車両の温度変化又は湿度によって結露が発生するおそれがある。結露による水分の付着場所は、駆動電極１３とリング電極１０１との間、又は該リング電極１０１の突出部１０２と検出電極１２との間である。【００４４】
これらの隙間に水分が付着すると、静電容量Ｃａ及びＣｂの値は数十倍に増加する。その結果、検出電極１２における高周波信号の誘導レベルが倍増する。このため、水分の付着により、上述の外来ノイズの場合と同様に、各検出電極からの信号のうちの最大の信号レベルと、残りの検出電極からの信号の信号レベルとの差がより大きくなる。したがって、結露により水分が付着しても、実用上、問題は発生しない。【００４５】
なお、本実施例では、複数の検出電極１２の出力信号を切り替え回路手段３００を介して信号検出手段４００に入力したが、複数の検出電極の総数が少ない場合には、検出電極と複数配設した信号検出手段とを直接接続し、信号検出手段の出力をマイクロプロセッサ等によって比較処理して同様の機能を実現させてもよい。すなわち、マイクロプロセッサが、切り替え回路手段と信号処理手段とを兼ねてもよい。【００４６】
次に、本発明の操作用ダイアルの他の実施形態について説明する。
なお、本実施形態では、スリーブ１００及びリング電極１０１以外の構成は、上述した実施形態のものと同じであるので、同一部分の詳細な説明は省略する。【００４７】
図６（ａ）は、本実施形態の操作用ダイアルのスリーブの側面図である。図６（ｂ）は、その下面図である。図６（ａ）に示すように、本実施形態のスリーブ１００ａは、フランジ１０００を有する。このフランジ１０００は、下面１００１が駆動電極１３と対向し、かつ、スリーブ１００ａの周囲に向けて突出した突出部１００２を有する。
なお、図６（ａ）では、フランジ１０００の下面に貼り付けたリング状電極１０１ａの図示を省略している。【００４８】
図６（ｂ）に示すように、スリーブ１００ａのフランジ１０００の下面１００２に、リング電極１０１ａのリング状のパターンが印刷形成されている。フランジ１０００の突出部１００１の下面に、リング電極１０１ａの突出部１０２ａのパターンが印刷形成されている。リング電極１０１ａ及び１０２ａは、ホットスタンプ法（箔押印刷法）によりフランジに貼り付けられて印刷形成されている。【００４９】
リング電極を印刷により貼り付けたスリーブ１００単体が、上述の実施形態においてスリーブ１００とリング電極１０１とを組み付けたものと同じ機能を、実質的に実現する。したがって、少ない部品点数によって、コストが低減される。また、誤組付けの発生するおそれがないので、製品の信頼性が向上する。【００５０】
なお、リング電極のパターンをスリーブに形成する方法はホットスタンプ法に限定されず、例えば、水圧転写法や、金属薄膜のインサート形成法を用いてもよい。
【産業上の利用可能性】
【００５１】
以上説明したように、本発明の操作用ダイアルは、ダイアルの回転位置を非接触でかつ正確に検出可能であり、また外来ノイズや結露等に対して信頼性の高いダイアル構造を提供できるから、自動車用の空調制御装置用ダイアル等に用いて好適であるほか、一般電気製品の操作用ダイアルとしても使用可能である。
【図面の簡単な説明】
【００５２】
【図１】本発明に係る実施形態の操作用ダイアルの基本構造を示す図である。
【図２】本発明の実施形態の操作用ダイアルの断面図である。
【図３】本発明の操作用ダイアルを用いた空調制御モジュールの構造を示す分解斜視図である。
【図４】本発明に係る実施形態の操作用ダイアルの電気回路図である。
【図５】本発明に係る実施形態の操作用ダイアルの動作を説明する電気信号波形を示す図である。
【図６】（ａ）は、本発明に係る他の実施形態の操作用ダイアルのスリーブの側面図であり、（ｂ）は、その下面図である。
【符号の説明】
【００５３】
１０  プリント回路基板
１２  検出電極
１３  駆動電極
１５  コイル
１６  コンデンサ
１２ａ〜１２ｄ  検出電極
１８  切り替え信号入力端子
１９  検出信号出力端子
１００、１００ａ  スリーブ
１０１、１０１ａ  リング電極
１０２、１０２ａ  突出部
１０３  セレーション
１０４  ダイアル胴部
１０５  ポインタ
１０６  ボタン
１０７  導光体
１０８  スイッチ
１０９  ＬＥＤ
１１０  ケース
１１１  カバー
２００  駆動回路手段
３００  切り替え回路手段
４００  信号検出手段
１０００  フランジ
１００１  突出部
１００２  下面
Ｃａ，Ｃｂ  静電容量
Ｓ１  駆動回路手段出力信号
Ｓ２  切り替え信号
Ｓ３  信号検出手段出力信号
【図１】
2007032432.tif 000002
【図２】
2007032432.tif 000003
【図３】
2007032432.tif 000004
【図４】
2007032432.tif 000005
【図５】
2007032432.tif 000006
【図６】
2007032432.tif 000007
【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
回転して操作される操作用ダイアルであって、
電気回路を有するプリント回路基板（１０）と、
上記プリント回路基板（１０）上に設けられた駆動電極（１３）と、
上記プリント回路基板（１０）上の、上記駆動電極（１３）の周囲に設けられた複数の検出電極（１２）と、
上記駆動電極（１３）と隙間を隔てて対向して配置されたリング電極（１０１，１０１ａ）であって、上記複数の検出電極（１２）のいずれかと隙間を隔てて対向するように外方に突出した少なくとも一つの突出部（１０２，１０２ａ）を有するリング電極（１０１，１０１ａ）と、
上記リング電極（１０１，１０１ａ）と一体となって回転可能な電気絶縁性材料のダイアルと、
上記駆動電極（１３）に高周波信号を印加する駆動回路（２００）と、
上記複数の検出電極（１２）の各々に順次に接続され、接続した検出電極（１２）からの信号を出力する切り替え回路（３００）と、
上記切り替え回路（３００）からの出力信号を処理して、上記駆動電極（１３）に印加された高周波信号により上記リング電極（１０１，１０１ａ）の突出部（１０２，１０２ａ）と対向した検出電極（１２）に誘導された信号を検出し、それによって、ダイアル操作位置に応じた検出信号を出力する信号検出手段（４００）と、
を具備し、
上記駆動回路（２００）は、矩形波信号発振回路と、
Ｌ−Ｃ直列共振回路と、を具備し、
上記Ｌ−Ｃ直列共振回路は、インダクタンスとキャパシタンスとの中間点と前記駆動電極とが接続され、上記矩形波信号発振回路から発振した矩形波信号から、上記駆動電極（１３）に印加される高周波信号の周波数成分を取り出す
ことを特徴とする操作用ダイアル。
【請求項２】
（削除）
【請求項３】
上記駆動電極（１３）は、上記駆動回路（２００）と接続したプリント基板上に、上記ダイアルと同軸に形成された円環状パターンを有し、
上記リング電極（１０１，１０１ａ）は、上記駆動電極（１３）の円環状パターンと重なり合うように配置されている
ことを特徴とする請求項１記載の操作用ダイアル。
【請求項４】
（削除）
【請求項５】
上記信号検出手段（４００）から出力される検出信号の信号強度が最大であるときに上記切り替え回路（３００）に接続されている検出電極の位置をダイアル操作位置として検出する
ことを特徴とする請求項１又は２記載の操作用ダイアル。
【国際調査報告】
2007032432.tif 000008
2007032432.tif 000009
2007032432.tif 000010
2007032432.tif 000011